(57)【特許請求の範囲】
【請求項１】
コイン型のハウジングと、前記ハウジング内部に固定して設けられた界磁マグネットと、前記界磁マグネットに対して所定の隙間を存して対向するように前記ハウジング内部に回転可能に軸支され、回転中心に対して偏心して設けられたロータコイルを有するロータと、を備え、前記ロータコイルへの通電により前記ロータが回転して振動を発生させるコイン型振動モータにおいて、
前記ロータに、両端が任意の抵抗値の抵抗部に接続可能とされ、前記抵抗部を介して短絡する短絡コイルを設け、
前記ロータが回転する際に前記抵抗部の抵抗値に応じて前記短絡コイルに流れる誘導電流により前記界磁マグネットによる界磁磁界の反磁界を発生させてアキシャル方向の振動力を発生させることを特徴とするコイン型振動モータ。
【請求項２】
前記抵抗部は、該コイン型振動モータの外部に設けられた外部抵抗体であることを特徴とする請求項１に記載のコイン型振動モータ。
【請求項３】
前記外部抵抗体は、可変抵抗器であることを特徴とする請求項２に記載のコイン型振動モータ。
【請求項４】
前記抵抗部は、前記ハウジング上に配置された抵抗体であることを特徴とする請求項１に記載のコイン型振動モータ。
【請求項５】
前記抵抗体は、抵抗値の異なる複数の抵抗素子を有し、前記短絡コイルの両端が前記複数の抵抗素子のいずれかに選択的に接続されることで抵抗値が可変とされていることを特徴とする請求項４に記載のコイン型振動モータ。
【請求項６】
前記抵抗体は、任意長の抵抗パタンを有し、前記抵抗パタンにおける前記短絡コイルの両端が接続される位置に応じて抵抗値が可変とされていることを特徴とする請求項４に記載のコイン型振動モータ。
【請求項７】
前記ロータコイルは、プリント配線基板上に印刷又はエッチングにより形成されたコイルであることを特徴とする請求項１乃至６のいずれか一項に記載のコイン型振動モータ。
【請求項８】
前記短絡コイルは、プリント配線基板上に印刷又はエッチングにより形成されたコイルであることを特徴とする請求項１乃至７のいずれか一項に記載のコイン型振動モータ。
【発明の詳細な説明】
【技術分野】
【０００１】
本発明は、携帯機器や腕時計などの機器に内蔵され、当該機器に振動を発生させるコイン型振動モータに関するものである。
【背景技術】
【０００２】
従来、携帯機器や腕時計などの機器に振動を発生させる振動発生手段として、振動モータが用いられている。この種の振動モータとしては、円筒形状のモータのシャフト先端にアンバランスな錘をつけて、その回転により振動を発生させるシリンダ型振動モータや、扁平なコイン型のハウジング内部に収容したロータ自体にアンバランスモーメントを持たせ、ロータの回転により振動を発生させるコイン型振動モータが知られている。このうち、特にコイン型振動モータは、それ自体がコンパクトな形状であり、小型化、薄型化が求められる携帯機器や腕時計などの機器に内蔵する振動モータとして好適である。
【０００３】
ところで、コイン型振動モータは一般的にラジアル方向の振動を発生させるため、これを内蔵する機器の振動がコイン型振動モータの取り付け面と平行な方向の振動となり、人間が感知しにくいという問題がある。このような観点から、コイン型振動モータにおいて、ラジアル方向だけでなくアキシャル方向（スラスト方向）にも振動を発生できるようにするための技術が種々提案されている。
【０００４】
例えば、特許文献１には、ロータが回転する際にハウジング内面に形成した正弦波形状の軌跡を持つ溝に沿って変位する構成とすることで、ロータの回転によるラジアル方向の振動とロータの上下動によるアキシャル方向の振動とを発生させるようにしたコイン型振動モータが開示されている。
【０００５】
また、特許文献２や特許文献３には、ロータを回転軸もしくはハウジングに対して傾けて配置することにより、ロータの回転によりラジアル方向の振動とアキシャル方向の振動とを併せて発生させるようにしたコイン型振動モータが開示されている。
【０００６】
また、特許文献４や特許文献５には、ロータ外周部に凸部を形成して、ロータ回転時にラジアル方向の振動を発生させるとともに、ロータの凸部がハウジングに対して接触および離間を繰り返す構成とすることで、アキシャル方向の振動も発生させるようにしたコイン型振動モータが開示されている。
【０００７】
また、特許文献６には、ロータに磁性体を配置して、ロータ回転時に磁性体に発生する反磁界の作用によりアキシャル方向の振動を発生させるようにしたコイン型振動モータが開示されている。
【先行技術文献】
【特許文献】
【０００８】
【特許文献１】特開平５−３８０９３号公報
【特許文献２】実公平６−４０４４９号公報
【特許文献３】特開平５−１３７３１０号公報
【特許文献４】実開平２−１０４７５９号公報
【特許文献５】特開２００６−１５０３１０号公報
【特許文献６】実開昭６３−８８０６０号公報
【発明の概要】
【発明が解決しようとする課題】
【０００９】
ところで、コイン型振動モータを内蔵する携帯機器や腕時計などの機器は、近年、ますます小型化される傾向にあり、機器内部におけるコイン型振動モータの設置位置も部品レイアウトの制約を受けて限定されることが多い。ここで、コイン型振動モータから機器本体への振動の伝達効率は、機器内部におけるコイン型振動モータの設置位置によって変化するため、機器に所望の振動を発生させるためには、コイン型振動モータの振動発生量を、適用される機器に応じて最適となるように調整することが求められる。
【００１０】
しかしながら、上記の特許文献１〜６に開示されている従来のコイン型振動モータは、いずれも、アキシャル方向の振動発生がモータ自体の機械的構造に依存しており、アキシャル方向の振動発生量を変化させるためにはモータそのものを作り直す必要がある。このため、適用される機器に応じて振動発生量のマッチングを図るためには多大なコストと時間を要するという問題があった。
【００１１】
本発明は、上記に鑑みてなされたものであって、アキシャル方向の振動発生量を容易に可変することができ、適用される機器に応じた振動発生量の調整を簡便に行うことができるコイン型振動モータを提供することを目的としている。
【課題を解決するための手段】
【００１２】
上述した課題を解決し、目的を達成するために、本発明は、コイン型のハウジングと、前記ハウジング内部に固定して設けられた界磁マグネットと、前記界磁マグネットに対して所定の隙間を存して対向するように前記ハウジング内部に回転可能に軸支され、回転中心に対して偏心して設けられたロータコイルを有するロータと、を備え、前記ロータコイルへの通電により前記ロータが回転して振動を発生させるコイン型振動モータにおいて、前記ロータに、両端が任意の抵抗値の抵抗部に接続可能とされ、前記抵抗部を介して短絡する短絡コイルを設け、前記ロータが回転する際に前記抵抗部の抵抗値に応じて前記短絡コイルに流れる誘導電流により前記界磁マグネットによる界磁磁界の反磁界を発生させてアキシャル方向の振動力を発生させることを特徴とする。
【発明の効果】
【００１３】
本発明にかかるコイン型振動モータによれば、短絡コイルの両端に接続される抵抗部の抵抗値に応じて、ロータが回転する際に短絡コイルに流れる誘導電流の大きさを可変とし、該短絡コイルが発生する反磁界の大きさを変化させることができるので、アキシャル方向の振動発生量を可変にして、適用される機器に応じた振動発生量の調整を簡便に行うことができるという効果を奏する。
【図面の簡単な説明】
【００１４】
【図１−１】図１−１は、第１の実施の形態にかかるコイン型振動モータを上面側から見た平面図であり、ハウジング内部を透視した様子を示す図である。
【図１−２】図１−２は、第１の実施の形態にかかるコイン型振動モータを図１−１中のＡ１方向から見た側面図であり、ハウジング内部を透視した様子を示す図である。
【図２−１】図２−１は、第２の実施の形態にかかるコイン型振動モータの一例を上面側から見た平面図であり、ハウジング内部を透視した様子を示す図である。
【図２−２】図２−２は、第２の実施の形態にかかるコイン型振動モータの一例を図２−１中のＡ２方向から見た側面図であり、ハウジング内部を透視した様子を示す図である。
【図３−１】図３−１は、第２の実施の形態にかかるコイン型振動モータの他の例を上面側から見た平面図であり、ハウジング内部を透視した様子を示す図である。
【図３−２】図３−２は、第２の実施の形態にかかるコイン型振動モータの他の例を図３−１中のＡ３方向から見た側面図であり、ハウジング内部を透視した様子を示す図である。
【図４−１】図４−１は、第２の実施の形態にかかるコイン型振動モータのさらに他の例を上面側から見た平面図であり、ハウジング内部を透視した様子を示す図である。
【図４−２】図４−２は、第２の実施の形態にかかるコイン型振動モータのさらに他の例を図４−１中のＡ４方向から見た側面図であり、ハウジング内部を透視した様子を示す図である。
【図５−１】図５−１は、第３の実施の形態にかかるコイン型振動モータの一例を上面側から見た平面図である。
【図５−２】図５−２は、第３の実施の形態にかかるコイン型振動モータの一例を図５−１中のＡ５方向から見た側面図である。
【図６−１】図６−１は、第３の実施の形態にかかるコイン型振動モータの他の例を上面側から見た平面図である。
【図６−２】図６−２は、第３の実施の形態にかかるコイン型振動モータの他の例を図６−１中のＡ６方向から見た側面図である。
【発明を実施するための形態】
【００１５】
以下に添付図面を参照して、この発明にかかるコイン型振動モータの最良な実施の形態を詳細に説明する。なお、以下で説明する実施の形態は、ロータにコアレスコイルを偏心して設けたコアレス振動モータに対して本発明を適用した例であるが、本発明は、この例に限らず、この種の振動モータに対して広く適用可能である。
【００１６】
（第１の実施の形態）
図１−１は、第１の実施の形態にかかるコイン型振動モータを上面側から見た平面図、図１−２は、同コイン型振動モータを図１−１中のＡ１方向から見た側面図であり、それぞれハウジング内部を透視した様子を示している。このコイン型振動モータは、上ケース１ａと下ケース１ｂとを組み合わせて構成されたコイン型のハウジング１を備え、このハウジング１内部に、界磁マグネット２と偏心ロータ３とが収納されてなる。なお、ハウジング１を構成する上ケース１ａおよび下ケース１ｂは磁性体より形成され、界磁マグネット２とともに磁気回路を構成している。
【００１７】
界磁マグネット２は、Ｎ,Ｓの磁極が周方向に交互に複数個（本実施の形態では２個ずつ）配置された円環状のマグネットとして形成され、ハウジング１を構成する下ケース１ｂの内面に固定して設けられている。
【００１８】
ハウジング１の内部には、その中心位置にシャフト４が固定して設けられており、このシャフト４に対して、偏心ロータ３がベアリング５を介して回転可能に軸支されている。この偏心ロータ３は、ハウジング１の内部において、界磁マグネット２に対してシャフト４の軸方向に所定の空隙を介して面対向するように配置されている。
【００１９】
偏心ロータ３は、例えば、ベアリング５の外周面に固定された円盤状のコイル支持板６によりコアレスロータコイル７を支持する構造である。コアレスロータコイル７は、巻回中心に磁性体のコアを持たないコイルであり、界磁マグネット２の磁極数に対応した個数（本実施の形態では２つ）が、コイル支持板６上に支持されている。ここで、コアレスロータコイル７は、偏心ロータ３の回転中心となるシャフト５に対して偏心して設けられている。つまり、コイル支持板６上におけるコアレスロータコイル７の配置は、シャフト５を基準に同心円状で、且つ、周方向において均等でない、アンバランスな配置とされている。
【００２０】
コアレスロータコイル７の両端は、ベアリング５の外周面に設けられた給電コミュテータ（整流子）８に接続されており、対応する給電コミュテータ８に対して給電ブラシ９が接触することで、外部の電源からコアレスロータコイル７に対して直流電流が通電される。
【００２１】
以上がコイン型振動モータの基本的な構成であるが、本実施の形態にかかるコイン型振動モータでは、特に、コアレスロータコイル７とは別のコイルである短絡コイル１０が、偏心ロータ３に設けられている。この短絡コイル１０は、例えば、コアレスロータコイル７に対して絶縁した状態でコイル支持板６上に形成される。また、ベアリング５の外周面には、給電コミュテータ８とは別に、短絡コイル１０に対応した短絡コミュテータ１１が設けられている。さらに、給電ブラシ９とは別に、短絡コミュテータ１１に対して常時接触する短絡ブラシ１２が設けられている。そして、短絡コイル１０は、その両端が、短絡コミュテータ１１および短絡ブラシ１２を介してコイン型振動モータの外部に設けられた外部短絡抵抗１３に接続可能とされており、両端が外部短絡抵抗１３に接続されることによってこの外部短絡抵抗１３を介して短絡し、ループコイルを形成する。
【００２２】
外部短絡抵抗１３は、コイン型振動モータの外部に設けられている抵抗体であり、例えば、コイン型振動モータを内蔵する機器の回路基板あるいは専用の抵抗回路基板に実装されたチップ抵抗や印刷抵抗、その他の機器の構成部品など、所定の抵抗値を持つ様々なものが外部短絡抵抗１３として利用可能である。つまり、コイン型振動モータ外部のどの抵抗体を外部短絡抵抗１３として利用して短絡コイル１０の両端を接続するかによって、短絡コイル１０に接続される外部短絡抵抗１３の抵抗値が変化することになる。また、コイン型振動モータを内蔵する機器に可変抵抗器を設け、この可変抵抗器を外部短絡抵抗１３として利用してもよい。この場合には、短絡コイル１０の両端を他の抵抗体に接続し直すことなく、外部短絡抵抗１３の抵抗値を可変にすることができる。
【００２３】
なお、本実施の形態においては、偏心ロータ３に短絡コイル１０を１つだけ設けた例を例示するが、偏心ロータ３に設ける短絡コイル１０の数は任意であり、コイン型振動モータのサイズや要求される性能に応じて適宜設定すればよい。また、本実施の形態においては、コアレスロータコイル７および短絡コイル１０をコイル支持板６上に形成しているが、例えば、コアレスロータコイル７や短絡コイル１０を接着剤などで互いの絶縁を保ちながら一体化してベアリング５に固定するといった構造にしてもよく、このような構造を採用した場合には、コイル支持板６を不要とすることができる。また、本実施の形態においては、シャフト４をハウジング１に対して固定して、偏心ロータ３がシャフト４の軸周りに回転する構造としているが、偏心ロータ３をシャフト４に固定するとともに、シャフト４をハウジング１に対して回転可能に取り付けて、偏心ロータ３がシャフト４とともに回転する構造としてもよい。
【００２４】
次に、本実施の形態にかかるコイン型振動モータの動作について説明する。外部の電源から給電ブラシ９に電圧が印加されると、この給電ブラシ９に接触している給電コミュテータ８を介してコアレスロータコイル７に直流電流が流れ、コアレスロータコイル７に流れる電流と界磁マグネット２が発生する磁束とにより、フレミングの法則に従って偏心ロータ３に回転力が発生する。そして、偏心ロータ３の回転に伴って給電ブラシ９が接触する給電コミュテータ８が切り替わるため、界磁マグネット２が発生する界磁磁界中の回転位置に応じてコアレスロータコイル７を流れる電流の向きが切り替わり、これにより、界磁マグネット２に対する吸引反発が繰り返されて、偏心ロータ３は持続的に回転する。この際、偏心ロータ３は、回転中心となるシャフト４に対してコアレスロータコイル７が偏心して設けられたことで偏重心を持っているため、回転に伴ってラジアル方向の振動を発生させる。
【００２５】
また、偏心ロータ３が回転すると、偏心ロータ３に設けられた短絡コイル１０もまた界磁マグネット２が発生する界磁磁界の中を回転することになり、Ｎ，Ｓ磁界の周期的な変化を受ける。そして、このＮ，Ｓ磁界の周期的な変化により短絡コイル１０に誘導電流が発生し、この誘導電流により、短絡コイル１０がそのときに受けている磁界の向きとは反対方向の反磁界を発生する。これにより、偏心ロータ３には回転面に対して垂直な方向の反発力が発生し、ラジアル方向の振動に加えてアキシャル方向の振動も発生することになる。なお、短絡コイル１０の両端は、該短絡コイル１０が偏心ロータ３とともに回転しても、常に短絡コミュテータ１１および短絡ブラシ１２を介して外部短絡抵抗１３に接続されている。
【００２６】
以上のように、本実施の形態にかかるコイン型振動モータは、外部短絡抵抗１３に接続された短絡コイル１０が偏心ロータ３とともに回転し、界磁マグネット２が発生するＮ，Ｓ磁極の周期的な変化を受けて反磁界を発生することで、アキシャル方向の振動を発生させる構成となっている。したがって、アキシャル方向の振動発生量は外部短絡抵抗１３の抵抗値に依存することとなり、この外部短絡抵抗１３の抵抗値を最適な値に選択もしくは調整するといった簡便な手法により、適用される機器に応じて最適な振動発生量が得られるように、コイン型振動モータの振動発生量を調整することができる。
【００２７】
また、コイン型振動モータの外部に設けられた外部短絡抵抗１３の抵抗値を変更することでアキシャル方向の振動発生量を可変にできるので、コイン型振動モータの駆動中においても振動発生量の調整を行うことができ、作業性が向上する。
【００２８】
また、コイン型振動モータを内蔵する機器に可変抵抗器を設け、この可変抵抗器を外部短絡抵抗１３として利用して、偏心ロータ３に設けた短絡コイル１０の両端を接続するようにすれば、例えば機器に設けたつまみを回すことで振動発生量を自在に調整できるようにするといった応用も可能となる。
【００２９】
（第２の実施の形態）
第２の実施の形態にかかるコイン型振動モータは、基本的な構成を上述した第１の実施の形態と同様とし、偏心ロータ３のコアレスロータコイル７と短絡コイル１０の少なくともいずれかを、プリント配線基板上に印刷又はエッチングにより形成した例である。以下、第１の実施の形態と同様の構成については図中同一の符号を付して重複した説明を省略し、第１の実施の形態との相違点についてのみ説明する。
【００３０】
図２−１は、コアレスロータコイル７をプリント配線基板上に印刷又はエッチングにより形成したコイン型振動モータを上面側から見た平面図、図２−２は、同コイン型振動モータを図２−１中のＡ２方向から見た側面図であり、それぞれハウジング１の内部を透視した様子を示している。このコイン型振動モータでは、偏心ロータ３のコイル支持板６として、プリント配線基板を用いている。そして、このプリント配線基板からなるコイル支持板６上に、印刷又はエッチングによってコアレスロータコイル７が形成されている。コアレスロータコイル７の両端は、例えば、プリント配線基板からなるコイル支持板６に設けたスルーホール・ビアを介して給電コミュテータ８に接続されている。
【００３１】
また、プリント配線基板からなるコイル支持板６上には、第１の実施の形態と同様に、両端が短絡コミュテータ１１および短絡ブラシ１２を介して外部短絡抵抗１３に接続されて短絡する短絡コイル１０が設けられている。
【００３２】
以上のように構成されるコイン型振動モータは、第１の実施の形態にかかるコイン型振動モータと同様に動作し、偏心ロータ３の回転によって、ラジアル方向の振動に加え、外部短絡抵抗１３の抵抗値に応じた振動量でアキシャル方向の振動も発生する。したがって、外部短絡抵抗１３の抵抗値を最適な値に選択もしくは調整するといった簡便な手法により、適用される機器に応じて最適な振動発生量が得られるように、コイン型振動モータの振動発生量を調整することができる。
【００３３】
また、特に以上の例では、プリント配線基板からなるコイル支持板６上にコアレスロータコイル７を印刷又はエッチングにより形成しているので、偏心ロータ３を軽量にすることができ、起動性に優れ、振動量の変化の応答性が高いコイン型振動モータを実現することができる。
【００３４】
図３−１は、短絡コイル１０をプリント配線基板上に印刷又はエッチングにより形成したコイン型振動モータを上面側から見た平面図、図３−２は、同コイン型振動モータを図３−１中のＡ３方向から見た側面図であり、それぞれハウジング１の内部を透視した様子を示している。このコイン型振動モータでは、偏心ロータ３のコイル支持板６として、プリント配線基板を用いている。そして、このプリント配線基板からなるコイル支持板６上に、印刷又はエッチングによって短絡コイル１０が形成されている。短絡コイル１０の両端は、例えば、プリント配線基板上に形成された配線パタンを介して短絡コミュテータ１１に接続され、さらに短絡コミュテータ１１および短絡ブラシ１２を介して外部短絡抵抗１３に接続されている。
【００３５】
また、プリント配線基板からなるコイル支持板６上には、第１の実施の形態と同様に、外部の電源から直流電流が通電されるコアレスロータコイル７が設けられている。
【００３６】
以上のように構成されるコイン型振動モータにおいても、第１の実施の形態にかかるコイン型振動モータと同様に動作し、偏心ロータ３の回転によって、ラジアル方向の振動に加え、外部短絡抵抗１３の抵抗値に応じた振動量でアキシャル方向の振動も発生する。したがって、外部短絡抵抗１３の抵抗値を最適な値に選択もしくは調整するといった簡便な手法により、適用される機器に応じて最適な振動発生量が得られるように、コイン型振動モータの振動発生量を調整することができる。
【００３７】
また、特に以上の例では、プリント配線基板からなるコイル支持板６上に短絡コイル１０を印刷又はエッチングにより形成しているので、偏心ロータ３を軽量にすることができ、起動性に優れ、振動量の変化の応答性が高いコイン型振動モータを実現することができる。
【００３８】
図４−１は、コアレスロータコイル７および短絡コイル１０をプリント配線基板上に印刷又はエッチングにより形成したコイン型振動モータを上面側から見た平面図、図４−２は、同コイン型振動モータを図４−１中のＡ４方向から見た側面図であり、それぞれハウジング１の内部を透視した様子を示している。このコイン型振動モータでは、偏心ロータ３のコイル支持板６として、プリント配線基板を用いている。そして、このプリント配線基板からなるコイル支持板６上に、印刷又はエッチングによってコアレスロータコイル７および短絡コイル１０が形成されている。
【００３９】
コアレスロータコイル７の両端は、例えば、プリント配線基板からなるコイル支持板６に設けたスルーホール・ビアを介して給電コミュテータ８に接続されている。また、短絡コイル１０の両端は、例えば、プリント配線基板上に形成された配線パタンを介して短絡コミュテータ１１に接続され、さらに短絡コミュテータ１１および短絡ブラシ１２を介して外部短絡抵抗１３に接続されている。
【００４０】
以上のように構成されるコイン型振動モータにおいても、第１の実施の形態にかかるコイン型振動モータと同様に動作し、偏心ロータ３の回転によって、ラジアル方向の振動に加え、外部短絡抵抗１３の抵抗値に応じた振動量でアキシャル方向の振動も発生する。したがって、外部短絡抵抗１３の抵抗値を最適な値に選択もしくは調整するといった簡便な手法により、適用される機器に応じて最適な振動発生量が得られるように、コイン型振動モータの振動発生量を調整することができる。
【００４１】
また、特に以上の例では、プリント配線基板からなるコイル支持板６上にコアレスロータコイル７と短絡コイル１０の双方を印刷又はエッチングにより形成しているので、偏心ロータ３を軽量にすることができ、起動性に優れ、振動量の変化の応答性が高いコイン型振動モータを実現することができるとともに、モータ自体の薄型化を実現することができ、これを内蔵する機器の小型化、薄型化に寄与することが可能となる。
【００４２】
（第３の実施の形態）
第３の実施の形態にかかるコイン型振動モータは、基本的な構成を上述した第１の実施の形態と同様とし、ハウジング１を構成する上ケース１ａ上に、短絡コイル１０の両端が接続される抵抗体を有する抵抗回路を配置した例である。以下、第１の実施の形態と同様の構成については図中同一の符号を付して重複した説明を省略し、第１の実施の形態との相違点についてのみ説明する。
【００４３】
図５−１は、ハウジング１を構成する上ケース１ａ上に、抵抗値の異なる複数のチップ抵抗（本例においては４つのチップ抵抗）Ｒ１〜Ｒ４を有する抵抗回路を形成して、短絡コイル１０の両端をこれらチップ抵抗Ｒ１〜Ｒ４のいずれかに選択的に接続させるようにしたコイン型振動モータの平面図であり、図５−２は、同コイン型振動モータを図５−１中のＡ５方向から見た側面図である。このコイン型振動モータにおいて、上ケース１ａ上に形成される抵抗回路は、上ケース１ａの形状に対応した円形の抵抗回路基板２１を備え、この抵抗回路基板２１に、抵抗値の異なる４つのチップ抵抗Ｒ１〜Ｒ４が実装されている。また、抵抗回路基板２１には、１つの共通端子部Ｃと、チップ抵抗Ｒ１〜Ｒ４の数に応じた４つの選択端子部Ｓ１〜Ｓ４とが形成され、さらに、これら共通端子部Ｃや選択端子部Ｓ１〜Ｓ４とチップ抵抗Ｒ１〜Ｒ４を接続する配線パタン２２が形成されている。
【００４４】
４つのチップ抵抗Ｒ１〜Ｒ４の一端はそれぞれ配線パタン２２を介して共通端子部Ｃに接続されている。また、チップ抵抗Ｒ１の他端は配線パタン２２を介して選択端子部Ｓ１に接続され、チップ抵抗Ｒ２の他端は配線パタン２２を介して選択端子部Ｓ２に接続され、チップ抵抗Ｒ３の他端は配線パタン２２を介して選択端子部Ｓ３に接続され、チップ抵抗Ｒ４の他端は配線パタン２２を介して選択端子部Ｓ４に接続されている。なお、ここでは抵抗値の異なる複数の抵抗体としてチップ抵抗を用いているが、チップ抵抗の代わりに抵抗回路基板２１上に印刷によって形成した印刷抵抗を用いるようにしてもよい。
【００４５】
以上のような抵抗回路が上ケース１ａ上に形成された本例のコイン型振動モータでは、一対の短絡ブラシ１２の一方が接続線２３ａを介して共通端子部Ｃに接続され、他方が接続線２３ｂを介して４つの選択端子部Ｓ１〜Ｓ４のいずれかに選択的に接続される。これにより、短絡コイル１０の両端が、抵抗値の異なる４つのチップ抵抗Ｒ１〜Ｒ４のうちのいずれかに接続されて短絡する。つまり、本例のコイン型振動モータは、選択端子部Ｓ１〜Ｓ４のうちのどの端子部に接続線２３ｂを接続するかによって、短絡コイル１０の両端に接続される抵抗体の抵抗値を変更できる構成となっている。例えば、図５−１において実線で示すように、接続線２３ｂを選択端子部Ｓ１に接続すれば、短絡コイル１０の両端はチップ抵抗Ｒ１に接続されて、チップ抵抗Ｒ１の抵抗値にて短絡コイル１０が短絡し、図５−１において破線で示すように、接続線２３ｂを選択端子部Ｓ２に接続すれば、短絡コイル１０の両端はチップ抵抗Ｒ２に接続されて、チップ抵抗Ｒ２の抵抗値にて短絡コイル１０が短絡することになる。
【００４６】
なお、本例のコイン型振動モータにおいて、ハウジング１内部の構成は第１の実施の形態と同様である。このため、本例のコイン型振動モータは、第１の実施の形態にかかるコイン型振動モータと同様に動作し、偏心ロータ３の回転によって、ラジアル方向の振動に加え、上ケース１ａ上に形成された抵抗回路が有する複数のチップ抵抗Ｒ１〜Ｒ４のうち、短絡コイル１０の両端が接続されたチップ抵抗の抵抗値に応じた振動量でアキシャル方向の振動も発生する。したがって、上ケース１ａ上に形成された抵抗回路が有する複数のチップ抵抗Ｒ１〜Ｒ４のうち、最適な抵抗値を持つチップ抵抗に短絡コイル１０の両端を接続するといった簡便な手法により、適用される機器に応じて最適な振動発生量が得られるように、コイン型振動モータの振動発生量を調整することができる。
【００４７】
図６−１は、ハウジング１を構成する上ケース１ａ上に、任意長の印刷抵抗パタン３０を有する抵抗回路を形成して、短絡コイル１０の両端をこの印刷抵抗パタン３０に接続させるようにしたコイン型振動モータの平面図であり、図６−２は、同コイン型振動モータを図６−１中のＡ６方向から見た側面図である。このコイン型振動モータにおいて、上ケース１ａ上に形成される抵抗回路は、上ケース１ａの形状に対応した円形の抵抗回路基板３１を備え、この抵抗回路基板３１上に、Ｃ字型の印刷抵抗パタン３０が印刷により形成されている。
【００４８】
以上のような抵抗回路が上ケース１ａ上に形成された本例のコイン型振動モータでは、一対の短絡ブラシ１２の一方が接続線３２ａを介して印刷抵抗パタン３０の一端部に接続され、他方が接続線３２ｂを介して印刷抵抗パタン３０の任意の箇所に接続される。これにより、短絡コイル１０の両端が、接続線３２ｂの接続位置に応じた抵抗値を持つ印刷抵抗パタン３０に接続されて短絡する。つまり、本例のコイン型振動モータは、印刷抵抗パタン３０のどの位置に接続線３２ｂを接続するかによって、短絡コイル１０の両端に接続される抵抗体の抵抗値を任意に変更できる構成となっている。例えば、図６−１において実線で示すように、接続線３２ｂを印刷抵抗パタン３０の長さ方向の中間位置付近に接続すれば、短絡コイル１０の両端が接続される抵抗体の抵抗値は比較的小さくなり、図６−１において破線で示すように、接続線３２ｂを印刷抵抗パタン３０の他端部付近に接続すれば、短絡コイル１０の両端が接続される抵抗体の抵抗値は比較的大きくなる。
【００４９】
なお、本例のコイン型振動モータにおいても、ハウジング１内部の構成は第１の実施の形態と同様である。このため、本例のコイン型振動モータは、第１の実施の形態にかかるコイン型振動モータと同様に動作し、偏心ロータ３の回転によって、ラジアル方向の振動に加え、上ケース１ａ上に形成された抵抗回路が有する印刷抵抗パタン３０の、接続線３２ｂが接続された位置における抵抗値に応じた振動量でアキシャル方向の振動も発生する。したがって、上ケース１ａ上に形成された抵抗回路が有する印刷抵抗パタン３０の最適な位置に接続線３２ｂを接続して、短絡コイル１０の両端が接続される印刷抵抗パタン３０の抵抗値を最適にするといった簡便な手法により、適用される機器に応じて最適な振動発生量が得られるように、コイン型振動モータの振動発生量を調整することができる。また、特に本例のコイン型振動モータでは、印刷抵抗パタン３０の抵抗値を幅広く変更できるので、振動発生量をきめ細かく調整することが可能となる。
【産業上の利用可能性】
【００５０】
以上のように、本発明にかかるコイン型振動モータは、例えば携帯機器や腕時計などの機器に内蔵する振動モータとして有用であり、特に、機器に応じた最適な振動量を発生させる振動モータとして好適である。
【符号の説明】
【００５１】
１  ハウジング
２  界磁マグネット
３  偏心ロータ
６  コイル支持板
７  コアレスロータコイル
１０  短絡コイル
１３  外部短絡抵抗
３０  印刷抵抗パタン
Ｒ１〜Ｒ４  チップ抵抗
【図１−１】
0005398469.tif 000002
【図１−２】
0005398469.tif 000003
【図２−１】
0005398469.tif 000004
【図２−２】
0005398469.tif 000005
【図３−１】
0005398469.tif 000006
【図３−２】
0005398469.tif 000007
【図４−１】
0005398469.tif 000008
【図４−２】
0005398469.tif 000009
【図５−１】
0005398469.tif 000010
【図５−２】
0005398469.tif 000011
【図６−１】
0005398469.tif 000012
【図６−２】
0005398469.tif 000013